(57)【要約】【課題】  加齢などに伴い顎骨の吸収で歯槽骨が薄い等、人工歯根の埋め込みが困難な時に、骨延長を行い、骨を高く・厚くする歯槽骨の簡易な延長具が要望されていた。【解決手段】  本発明は、骨同士を密着状態から日々少しずつ引き離すと骨同士の間に新生骨が成形される特性を利用することにある。このために図１に示すような筒付固定板（３）とこれに一体化されたナット（２）でこのナットに螺合するネジ（１）を使用して前記の歯の新生骨を助長させる。この時に筒付固定板のプレートＡ（３Ａ）は、顎骨（６）の端部の形状になじませ（成形させる）プレートＡを顎骨に固定させる為にビス（５）を使用する。ネジ（１）をドライバーで固定し、ナット（２）をピン用孔（２Ｅ）を回して前記の課題を果たす。尚、本発明の延長具の脱着時は、上皮（粘膜）９を剥がす事で極めて容易である。【選択図】  図１
2006043052.tif 000002
【特許請求の範囲】
【請求項１】
顎骨（６）の吸収（退縮、萎縮）が生じて人工歯根の埋込みが困難な場合に、骨量の増加を図り歯槽骨の延長を行う目的で、治療部の歯槽骨（６）を治療用カッター等にて切断（７Ｄ）し分割して、対応する切断部に用いる延長具に於いて、
イ）固定板付／スリップナット（１０）は、ナット（２）と筒付固定板（３）の組合せの一体化で両者の軸方向のガタは少ない（＝０．１ミリ）が回動は自由である。
ロ）ナット（２）とネジ（１）とは螺合するが、ネジの端面は顎骨（６Ａ）の分割の受部となり、他方の顎骨（６Ｂ）にはネジ（１）が貫通している。
ハ）固定板付／スリップナット（１０）のプレートＡ（３Ａ）は、顎骨（６）の端面になじませた形状に成形する。
ニ）ビス（５）はプレートＡ（３Ａ）の孔（３Ｃ）に通し顎骨（６）にねじ込む。
以上の部品から構成されたことを特徴とする歯槽骨の延長具。
【請求項２】
固定板付／スリップナット（１０Ａ）は、ナットＡ（２Ａ）の内径（２Ｄ）に筒付固定板（３）の円錐面（Ｃ）を形成する外径（３Ｄ）を挿入後に外側のＫ部をへら加工にて成形してなることを特徴とする請求項１の歯槽骨の延長具。
【請求項３】
固定板付／スリップナット（１０Ｂ）は、ナットＢ（２Ｂ）の外径（２Ｆ）に筒付固定板（３）の摺動内径（３Ｈ）を嵌合後に止め輪（４）をはめた構成であることを特徴とする請求項１の歯槽骨の延長具。
【請求項４】
ネジ（１）の端部に切欠溝（１Ｂ）を設けたことを特徴とする請求項１の歯槽骨の延長具。
【請求項５】
筒付固定板（３）に凸起部（３Ｇ）を設けたことを特徴とする請求項１の歯槽骨の延長具。
【請求項６】
ナットの外径にローレット（２Ｇ）を設置してなることを特徴とする請求項１の歯槽骨の延長具。
【発明の詳細な説明】
【技術分野】
【０００１】
この発明は、歯槽骨（６）の延長具に関するものである。
【背景技術】
【０００２】
加齢に伴い顎骨（６）の吸収（退縮、萎縮）が生じて、図示なき人工歯根の埋め込みにも歯槽骨が薄く又は陥没して埋め込み困難な場合において、歯槽骨の延長を行い、歯槽骨を厚く又は高くする延長具が必要である。
この部が欠歯のとき食物の噛合い不良から健康体が保たれなく、食物も美味しくない。
【０００３】
単なるむし歯等では骨内にインプラントを植立するために発想されたネジ式の植立法を利用したインプラント手法での対応（非特許文献１参照）があるが、上記の対応時は不可である。
【０００４】
この改善策法として歯槽骨（６）の延長法があり、その仕組みはプレートのシリンダーにネジを螺合した手法での歯槽骨の延長具である（例えば、特許文献１参照）。
又、市販のパンフレットに方式のことなるプレートとネジの組合せのものがある（例えば、特許文献／特許文献米国特許５７６９８５０参照）。
【０００５】
【非特許文献１】丸橋賢ほか著「インプラントで安心」社団法人／農山漁村文化協会  ２００１年３月  第１印刷発行−頁１４５
【特許文献１】特開２００３−１３５４７８号公報
【発明の開示】
【発明が解決しようとする課題】
【０００６】
人工歯根を埋め込む際に、土台である歯槽骨（６）が浅薄で埋込むスペースがない治療者は少なくない。このような治療者は、従来の人工歯根の装着が不可能の為にあきらめざるを得なかった。
【課題を解決するための手段】
【０００７】
本発明は、骨同士（骨の切断面）を密着状態から日々少しずつ引き離すと骨同士の間に新生骨が形成される特性を利用することにある。
【０００８】
この為、図１１に示す該当の歯槽骨（６Ｂ）が陥没し薄くなっている所に治療用カッター又は骨切りソーで切断（７Ｄ）を実施する。この図のＣ−Ｃ断面部に図１の様に顎骨（６）にキリ（ホール・ソー）であけた孔にネジ（１）をセットする。
ネジの先端はめりこみ防止の為に平坦面で、端部はネジの倒れをなくする為に４ヶの切欠溝（１Ｂ）を形成している。
尚、下顎骨ロ（６Ｂ）にあげたキリ孔は、ネジ外径より０．６ミリ大きく（隙間０．３ミリ）、下顎骨イ（６Ａ）のキリ孔は、ネジの有効径と同寸法で加工され、その後にネジ（１）をねじ込む。
【０００９】
その後にネジに固定板付／スリップナット（１０）をねじ込ませる。そうして固定板付／スリップナットのプレートＡ（３Ａ）を顎骨の端部に折り曲げなじませて成形し、その後にビス（５）を顎骨にプレートＡ（３Ａ）の孔（３Ｃ）をガイドにてねじ込み固定する。
【００１０】
ネジ（１）のドライバー溝（１Ａ）に図示なきドライバーで押さえ、スリップナットＡ（２Ａ）を専用スパナー（ピン付）にて回すことにより、顎骨（６Ｂ）の切欠き部（７）の骨形成寸法（△Ｈ）に隙間△Ｈ１をネジにて徐々に大きく変化させる事が出来る。
事例では、１日の骨延長量の合わせが容易に管理が出来る様にナット（２）を９０度回す毎で０．１ミリ変化をさせる様に設定されている。
即ち、顎骨（６Ｂ）が図１では上側へ（△Ｈ１）移動して切欠き部（７）に隙間が出来る。
【発明の効果】
【００１１】
本発明は、顎骨の吸収（退縮・萎縮）が生じて人工歯根の埋込みが困難な時に骨量の増加を図り歯槽骨の延長を行い、歯槽骨を高く又は厚くする対応が可能で以下の具体的な効果が発生する。
【００１２】
イ）歯槽骨の延長具の構成がシンプルである為に治療時の装着、脱着に違和感が少ない。
ロ）歯槽骨を厚くする部（所）の向き（方向性）に自由度がある。
ハ）延長具の装着・取外し時に上皮（粘膜、９）の剥離面が少なく治療が容易である。
ニ）上皮（粘膜）の剥離面が少ない為に骨組織への血液の供給を欠乏させない。
ホ）装着又は取外し時は、ナット（２）のみの回動で対応が可能（ナットにローレット付）
ヘ）ネジ（Ｍ２×０．４）のピッチは、１日の骨延長量に合わせて設定されている。即ち、実例では９０度回転で０．１ミリ進むので視覚的に延長量の管理が容易。
【００１３】
尚、従来の様に顎骨材の強度のないものに小ネジ（例、Ｍ２）だけの取付け方法では、すぐグラツキが生じ不快感と感染のおそれがあったが、本発明はそれらを解消し信頼性が高い。
又、植立及び撤去も顎骨（６）にねじ込みのビス（５）と本発明のスリップナット（１０Ａ）と螺合のネジ（１）の回動にて左右、上下、斜めの治療の向きを選ばずに取扱いの自由度が大きい。
【００１４】
顎骨に図示なき人工歯根を埋め込む際、歯槽骨が浅薄で埋め込みが困難な場合に歯槽骨の延長を行い骨を高くしたり、厚くしたりすることが可能となる。プレートＡ（３Ａ）は薄く生体適合性の高い素材の純チタン、チタン合金（ＪＩＳ規格６０種）の超塑性材などを使用している。
それ故、プレートＡ（３Ａ）を顎骨（６）に装着する時は、生体へのなじみ性が簡易に得られるようになっている。
【００１５】
尚、本発明は前述の実施例に限定されることなく、上顎骨にも対応可能であり、また係止用のビス（５）は、３〜４個以上あってもよい。これに伴い、プレートＡは長くする。
【発明を実施するための最良の形態】
【００１６】
治療者に顎骨の吸収（退縮・萎縮）が生じて、歯槽骨に人工歯根の埋込みが困難な時に、歯槽骨の延長を行い、その後にインプラントでスクリュータイプを選択した形状品を植込み、その後に図示なきアバットメントをジョイントして、アバットメントに人工歯を装着する。
よって、前記対応のための本発明の歯槽骨の延長具は、固定板付スリップナット（１０Ａ）とネジ（１）との構成部品にて図１に示す様に顎骨（６）に切断（７Ｄ）を設けることより、骨延長を行うのに簡易に対応する。
【００１７】
また本発明に使用品の材質としては、生体に対して利害性のない、例えばチタン合金、ステンレス合金、コバルトクローム合金などで塑性変形可能材が好ましい。
【実施例】
【００１８】
以下、図面を参照して本発明の実施例１を主体に順に説明する。図１は、本発明の治療の第１実施例の歯槽骨の延長具の（様式）断面図であり治療対応内容により、本発明の治療の第２実施例（図１２）、本発明の治療第３実施例（図１３）、本発明の治療の第４実施例（図１４）を示す。これを実施例順に説明する。
【００１９】
これらの治療の対応のために使用する固定板付／スリップナット（１０Ａ）は、図２に示す様にナット（２）と筒付固定板（３）とネジ（１）の３点の部品から構成されている。
このスリップナット（１０）の中心にはナットＡ（２Ａ）に螺合するネジ（１）が嵌合している。このネジの先端部には切欠溝（１Ｂ）が４ヶ所設けられている。他端部にはネジ（１）を回動させる為のドライバー溝（１Ａ）が設けられている。
【００２０】
ナットＡ（２Ａ）は芯部にメネジ（２Ｃ）があり、端部にはナットを回動させる為の孔（２Ｅ）がある。内径２Ｄは、プレートＡ（３Ａ）の外径（３Ｄ）と嵌合する様になっている。
図５の筒付固定板／スリップナット（１０Ａ）は、ナット（２Ａ）の内径（２Ｄ）に筒付固定板（３Ａ）の内側に外径（３Ｄ）を挿入し、その後にナットの外側端のＫ部を図の様な形状に「へら加工」にて成形する。この際ナットＡと筒付固定板のプレートＡとは、軽く回動する程度に軸方向にガタ（０．１ミリ隙間程度）をつけて成形されている。
【００２１】
尚、治療時は、筒付固定板のプレートＡ（３Ａ）を顎骨（６）に装着し、図１の如く状況に応じプレートＡ（３Ａ）を適宜な形状で折り曲げ使用するが折り曲げをより容易にする為にプレートＡ（３Ａ）にぬすみ孔（３Ｅ）を設けている。一方、
【００２２】
顎骨（６）の切断面（７Ｄ）の新生骨の調節の為にネジの大きさはＭ２×０．４ミリ程度のものを使用している、又、ビス（５）はＭ１．４×０．３ミリ程度のものを使用している。ネジ（１）の端部には４ヶの切欠溝（１Ｂ）を他端部にはドライバー溝（１Ａ）を設けている。
【００２３】
筒付固定板（３）のプレートＡ（３Ａ）の板厚（Ｔ）は、約０．８ミリで筒部の内径（３Ｆ）とネジ径とは隙間を０．２ミリに設定し、端部の外径は４．４ミリでナット内径（２Ｄ）とは０．０５ミリの隙間を有している。また、プレートＡ（３Ａ）の外側のＣ部が、円錐面をしているのは、ナットＡ（２Ａ）のへら加工部（Ｋ）を容易に成形する為である。
【００２４】
固定板（３）の筒部の肉厚（Ｔ）は０．８ミリ程度で、端部に凸起部（３Ｇ）を設けているのは、顎骨（６）に埋込み後、時間の経過後にすぐに脱着しない為に設けたものである。
筒付固定板（３）のプレートＡの加工は、精密鋳造にて製作が容易な形状になっている。
尚、本品はチタン、又はチタン合金などで超塑性化の為に軟質状態品にして使用する。
ドライバーピン用孔（２Ｅ）は、円周上に４ヶに限定ではなく３〜６ヶにしてもよい。ネジ（１）、ビス（５）はチタンバラジウム合金（ＪＩＳ規格１２種）等を使用する。
【００２５】
次に図６の本発明の第２実施例を説明する。
第２実施例の固定板付スリップナット（１０Ｂ）の正面図である。第１実施例との違いは、ネジ（１）は、ネジを回動する時のスパナー取付部（１Ｃ）が４角形になっている。
【００２６】
スリップナット（１０Ｂ）は、ナットＢ（２Ｂ）とプレートＢ（３Ｂ）との形状の構成が異なるが機能的作用は変わらない。ナットＢと一体の筒部の外径（３Ｄ）の外周にプレートＢ（３Ｂ）が嵌合している。プレートＢの軸方向の抜止め用にＪＩＳ規格の（Ｅ形）止め輪（４）を使用し、ナットＢ（２Ｂ）の筒部の外径（２Ｆ）の外周の溝に（Ｅ形）止め輪をはめて使用する。尚、ナットの外径部に「あや目又は平目」のローレット（２Ｇ）を設けているのは、本発明の取付け・脱着時の手動での作業性向上と容易化の為に付与しているものである。
【００２７】
プレートＢ（３Ｂ）の軸方向のガタ（遊び）に応じて（Ｅ形）止め輪の内側に図示なき調整シムの外径×内径（φＤ×φｄ）の板厚０．０５〜０．１ミリを選択挿入して調整する。
尚、（Ｅ形）止め輪（ＪＩＳ  Ｂ  ２８０５相当）は、板厚０．６ミリのステンレス板で、ナットＢ（２Ｂ）、プレートＢ（３Ｂ）の使用材料には第１実施例と同じ様にチタン合金を使用する。
【００２８】
プレートＢ（３Ｂ）は、前記の様にチタン合金の超塑性材料化品を用いるため、容易に治療時に図１に示すように顎骨（６）に装着し、図の様に現物合わせにて平板の形状から馴染ませて成形し、その後に顎骨の両側でビス（５）にてプレートＢ（３Ｂ）を固定する。
尚、顎骨（６）にプレートＢ（３Ｂ）を装着する時に余り強度を必要としなく作業性困難な場所には曲げやすくした為にプレートＢの付け根部にぬすみを付けている（図４参照）。
【００２９】
次に、本発明の歯槽骨の延長具を用いた治療例を図１、図１２〜１４にて説明する。まず、治療例を説明する前に各部の名称とその場所を定義・解説する。
【００３０】
図９から図１１は、治療する前の歯の場所の概要を示すものである。治療例は図１１のＣ−Ｃ断面部を代表例として図１にて発明部品の装着時の解説をした。すなわち、
【００３１】
治療者に人工歯根を埋め込む際に、歯槽骨の吸収（退縮・萎縮）が生じて人工歯根の埋め込み困難な時に骨延長を行い、その為に顎骨（６）を治療用カッター等にて切断（７Ｄ）して、そのかさあげの所（△Ｈ１）に新生骨を形成し、十分な歯槽骨が形成された箇所に人工歯根を埋入又は植立する。図は切断部（７）が水平ゾーン（７Ａ）にての例である。
【００３２】
図１２は、垂直ゾーンの例を示した。図１３は図１２の変形タイプ。図１４は斜めに新生骨を形成させ人工歯根を作る場合を示した。
図１２から図１４は目的は違うが、本発明のものはどのタイプでも応用が出来る。
【００３３】
治療者に人工歯根を埋め込む際、歯槽骨の吸収（退縮・萎縮）が生じて人工歯根の埋め込み困難な時に骨延長を行い、その後にインプラントでスクリュータイプを選択した形状品を植込み、その後に図示なきアバットメントをジョイントして、アバットメントに人工歯を装着する。
よって、前記対応の為の本発明の歯槽骨の延長具は、固定板付スリップナット（１０Ａ）とネジ（１）との構成部品にて図１に示す様に顎骨（６）に切断部（７）を設けることにより骨延長を行って対応する。
【００３４】
プレートＢ（３Ｂ）はチタン、チタン合金等で精密鋳造にて成形するので、外径又は係止部のプレートＡ（３Ａ）の孔（３Ｃ）、バカ孔（長い孔）（３Ｅ）及び凸起部（３Ｇ）等の各角部は、全てが「Ｒかど」に製造され、患者又は取扱者の肌に柔らかに干渉作用する。
【産業上の利用可能性】
【００３５】
歯列及び歯並びが悪いと食欲が減退したり、咀嚼（そしゃく）能力が低下したりする。歯が健康的になると自然に食事が美味しくなり食べ物、食事への関心が高まる。又優れた審美的外形により生活全般の維持、増進が出来る。他方、人体に害を与える農薬や人工的に手を加えた色彩、味添加物の加工食などの必要もなくなる。
【００３６】
歯科治療の負担を軽減する事により、国民全員が健康の保持も出来て、且つ治療費の削減と患者の治療時間の短縮等も可能になり、目に見えぬ費用の経済効果分を別分野の産業の国内投資も可能となる。
【図面の簡単な説明】
【００３７】
【図１】本発明の治療の第１実施例の歯槽骨の延長具の模式（１）                        （図１１の断面Ｃ−Ｃに使用例の部）
【図２】本発明の第１実施例に使用の固定板付／スリップナット（１０Ａ）                （図３のＡ−Ａ断面）
【図３】第１実施例の平面図（図２のＡ側）
【図４】第１実施例の底面図（図２のＢ側）
【図５】図２の第１実施例の固定板付／スリップナット（１０Ａ）                        （Ａ）  筒付固定板／プレートＡ（３Ａ）    （Ｂ）  ナットＡ（２Ａ）
【図６】本発明の第２実施例に使用の固定板付／スリップナット（１０Ｂ）
【図７】第２実施例の平面図（図６のＣ側）／（左側面図）
【図８】第２実施例の底面図（図６のＤ側）／（右側面図）
【図９】治療前の前歯外観／局部視（正面図）
【図１０】図９に於けるＸ−Ｘ矢視図（平面図）
【図１１】図１０に於けるＹ−Ｙ矢視図（治療時の前歯外観／局部視）
【図１２】本発明の治療の第２実施例の歯槽骨の延長具の模式（２）
【図１３】（特例の治療の）第３実施例の歯槽骨の延長具の模式（３）
【図１４】本発明の治療の第４実施例の歯槽骨の延長具の模式（４）
【符号の説明】
【００３８】
１０  固定板付／スリップナット
１０Ａ  固定板付／スリップナットＡ
１０Ｂ  固定板付／スリップナットＢ
１  ネジ
１Ａ  ドライバー溝    １Ｂ  切欠溝    １Ｃ  スパナー取付部
２  ナット
２Ａ  ナットＡ    ２Ｂ  ナットＢ    ２Ｃ  メネジ
２Ｄ  内径    ２Ｅ  ドライバーピン用孔    ２Ｆ  外径
２Ｇ  ローレット
３  筒付固定板
３Ａ  プレートＡ    ３Ｂ  プレートＢ    ３Ｃ  孔
３Ｄ  外径    ３Ｅ  バカ孔    ３Ｆ  内径    
３Ｇ  凸起部又は、ラッパ状    ３Ｈ  摺動内径
４  （Ｅ形）止め輪
５  ビス
【００３９】
６  歯槽骨  又は、顎骨
６Ａ  下顎骨イ    ６Ｂ  下顎骨ロ
７  切断部  又は、切欠き部
７Ａ  水平ゾーン    ７Ｂ  垂直ゾーン    ７Ｃ  隙間ゾーン
７Ｄ  切断  又は、切欠き  あるいは切断面
８  下歯
８Ａ  下歯イ    ８Ｂ  下歯ロ    ８Ｕ  上歯
９  上皮（粘膜）
（１１）  人工歯根
（１２）  インプラント
【００４０】
Ｈ  治療前／下顎寸法
△Ｈ  骨形成（ゾーン）寸法
△Ｈ１  水平ゾーン    △Ｈ２  垂直ゾーン
△Ｈ３  斜ゾーン
△φ  骨形成の斜ゾーン
Ｋ  へらの加工部  又は、曲げ加工部
Ｃ  円錐面
【図１】
2006043052.tif 000003
【図２】
2006043052.tif 000004
【図３】
2006043052.tif 000005
【図４】
2006043052.tif 000006
【図５】
2006043052.tif 000007
【図６】
2006043052.tif 000008
【図７】
2006043052.tif 000009
【図８】
2006043052.tif 000010
【図９】
2006043052.tif 000011
【図１０】
2006043052.tif 000012
【図１１】
2006043052.tif 000013
【図１２】
2006043052.tif 000014
【図１３】
2006043052.tif 000015
【図１４】
2006043052.tif 000016